(57)【特許請求の範囲】
【請求項１】
複数の建物ユニットにより構築された建物躯体の上に設けられるバルコニ付き屋根であって、
前記建物ユニットより低い高さ寸法を有し、棟に沿って直列に配置される複数の低建物ユニットと、
前記低建物ユニットの妻方向両側に配置され、前記棟から軒先に向かって傾斜する傾斜面が形成された複数の屋根ユニットと、
前記各屋根ユニットの傾斜面に配置されて屋根面を形成し、上端側辺が前記傾斜面から傾斜方向上方に突出し、前記棟を挟んで妻方向に対向する屋根パネルの上端側辺と接合される複数の屋根パネルとを備え、
前記棟の一端側に配置された前記低建物ユニットは、妻側側面に形成された開口と、底面に組み付けられた床面材とを有し、前記開口および前記床面材により形成される凹部によりバルコニが形成され、
前記棟の一端側に配置された２つの前記屋根パネルの各上端側辺は、前記棟から前記バルコニの妻方向両端部に向かってそれぞれ斜めに下ろされている
ことを特徴とするバルコニ付き屋根。
【請求項２】
請求項１に記載のバルコニ付き屋根において、
前記バルコニには、当該バルコニ付き屋根の小屋裏空間に設けられた居室に隣接され、
前記バルコニおよび前記居室の間に設けられた間仕切壁には、採光機能および換気機能の少なくともいずれか一方を有する窓部が設けられていることを特徴とするバルコニ付き屋根。
【請求項３】
請求項１または請求項２に記載のバルコニ付き屋根において、
前記バルコニの上部の屋根面には、パーゴラまたはルーバが設けられていることを特徴とするバルコニ付き屋根。
【請求項４】
請求項１〜請求項３のいずれかに記載のバルコニ付き屋根において、
前記棟の一端側に配置された２つの前記屋根パネルの前記各上端側辺には、前記屋根面から突出する水切りが設けられていることを特徴とするバルコニ付き屋根。
【発明の詳細な説明】
【０００１】
【発明の属する技術分野】
本発明は、バルコニ付き屋根に関する。
【０００２】
【背景技術】
建物の屋根には、切り妻屋根や寄せ棟屋根等のように、棟から軒先に向かって傾斜した傾斜屋根面を有するものが多い。
このような屋根には小屋裏空間が形成されるため、建物の内部空間を有効活用するために、当該小屋裏空間を居室として使用することがある。
居室とされる小屋裏空間には、採光および通風が必要になる上、とくに、小屋裏の居室が建物の三階部分となる場合には建物が三階建てになることから、道路に面した部分から三階の小屋裏の居室へ安全に到達できる非常進入口を設ける必要が生じる。
このため、従来は、屋根の一部をルーフバルコニとして小屋裏空間に出入りできるようにしていた。
すなわち、建物躯体の上に、小屋裏空間を有する傾斜屋根部とルーフバルコニとを並設することにより屋根を構築していた。
【０００３】
【発明が解決しようとする課題】
この方法では、一つの屋根を、傾斜屋根部とルーフバルコニという、全く異なる二種類の構造体により構成するので、屋根の構造が複雑化する上、施工が煩雑になるという問題がある。
【０００４】
本発明の目的は、簡単な構造で容易に施工できるバルコニ付き屋根を提供することにある。
【０００５】
【課題を解決するための手段】
本発明のバルコニ付き屋根１０は、図面を参照して説明すると、複数の建物ユニット９２により構築された建物躯体９０の上に設けられるバルコニ付き屋根１０であって、前記建物ユニット９２より高さ寸法を有し、棟１０Ａに沿って直列に配置される複数の低建物ユニット１１と、前記低建物ユニット１１の妻方向両側に配置され、前記棟１０Ａから軒先に向かって傾斜する傾斜面が形成された複数の屋根ユニット１２と、前記各屋根ユニット１２の傾斜面に配置されて屋根面を形成し、上端側辺が前記傾斜面から傾斜方向上方に突出し、前記棟１０Ａを挟んで妻方向に対向する屋根パネル１３，４３の上端側辺と接合される複数の屋根パネル１３，４３とを備え、前記棟１０Ａの一端側に配置された前記低建物ユニット１１は、妻側側面に形成された開口と、底面に組み付けられた床面材１１４とを有し、前記開口および前記床面材１１４により形成される凹部１０Ｅによりバルコニ２が形成され、前記棟１０Ａの一端側に配置された２つの前記屋根パネル４３の各上端側辺は、前記棟から前記バルコニ２の妻方向両端部に向かってそれぞれ斜めに下ろされていることを特徴とする。
【０００６】
本発明では、バルコニ付き屋根１０は、前記棟１０Ａの一端側に配置された２つの前記屋根パネル４３の前記各上端側辺に沿って、棟１０Ａの端部が斜めに切り欠かれた形状とされているので、隣地境界線や道路境界線等との関係により妻側から斜線制限を受ける場合にも、この各上端側辺に沿った部分を斜線制限の斜線に沿わせることができるから、建物１全体を妻側の斜線制限内に納めることができる。
さらに、バルコニは屋根の内部に形成されることになるから、ルーフバルコニ等の構造体を採用しなくてもバルコニを形成できる。従って、屋根を一種類の構造体により構成できるので、屋根にバルコニを簡単な構造で設けることができるとともに、屋根の施工を容易化できる。
つまり、バルコニ２は、低建物ユニット１１を開口させるだけで形成できるので、バルコニ２を設けるために、ユニット１１，１２の構造を変更したり、構造の異なる他のユニットを採用したりする必要がなくなる。従って、バルコニ２の有無に拘わらず、屋根１０全体を、低建物ユニット１１および屋根ユニット１２を並べた上に屋根パネル１３，４３を配置した構造、つまり、一種類の構造により構成できるから、屋根１０の構造を複雑化することなくバルコニ２を設けることができ、容易に施工できる。
また、一対の上端側辺に挟まれた部分が開口されて開口部１０Ｆが形成され、この開口部１０Ｆを含んで凹部１０Ｅの開口を構成したので、開口部１０Ｆを介して、バルコニ２の上面を屋外に開放させることができるので、採光および通風が効率よく得られる。
【０００８】
また、前記バルコニは、小屋裏空間に設けられた居室に隣接し、当該バルコニおよび居室の間に設けられた間仕切壁には、採光機能および換気機能の少なくともいずれか一方を有する窓部が設けられていることが好ましい。
このように窓部を設けることで、バルコニを通じて小屋裏空間の居室に採光および通風を充分に確保できる。
【０００９】
以上において、前記バルコニの上部の屋根面には、天窓８５１が設けられていてもよく、これによると、天窓を通じてバルコニに充分な採光を確保できる。
【００１０】
或いは、前記バルコニの上部の屋根面には、パーゴラまたはルーバ８５２が設けられていてもよく、これによれば、バルコニに充分な通風が得られる。
【００１１】
また、前記棟１０Ａの一端側に配置された２つの前記屋根パネル４３の前記各上端側辺には、前記屋根面から突出する水切り８６が設けられていることが好ましい。
このような水切りを設けることで、雨水が水切りに沿って軒先方向に流れるようになり、バルコニ内に雨水が流れ込むことがなくなるから、従来のルーフバルコニのように軒樋を設ける必要がなくなり、構造を簡略化できる。
【００１２】
【発明の実施の形態】
本発明の参考の実施形態を図面に基づいて説明する。
〔参考実施形態〕
図１には、本実施形態のバルコニ付き屋根８０を備えた建物８が示されている。
この建物８は、在来工法によって建てられた建物であり、建物本体８Ａの上にバルコニ付き屋根８０を設けた構造を備えている。
建物本体８Ａは、図示しないが、基礎８９上に柱や梁等の軸材を組んで骨組みを形成し、この骨組みに壁材、床材、天井材等の設備部材を組み付けることにより構成されている。
【００１３】
バルコニ付き屋根８０は、棟８０Ａから軒先８０Ｂに向かって傾斜した傾斜屋根面８０Ｃと、当該傾斜屋根面８０Ｃと直交して棟８０Ａの端部に設けられた屋根側面である妻面８０Ｄとを有して構成されている。妻面８０Ｄは、棟８０Ａの端部と軒先８０Ｂの妻側の端部とを結ぶ二本の稜線で構成されている。
この屋根８０は、切り妻屋根の棟の一端を斜めに切り欠いた変形切り妻屋根状に形成され、これにより、妻面８０Ｄは、屈曲した形状、つまり、棟８０Ａの一端から斜めに下る略三角形の切欠面およびこの切欠面と交差する垂直面により略Ｖ字状に構成されている。
このうち、切欠面は開口されて傾斜開口部８０Ｆとされている。
【００１４】
また、傾斜屋根面８０Ｃおよび妻面８０Ｄに囲まれた小屋裏空間（図示省略）には、居室が設けられ、屋根８０の棟方向一端に設けられたバルコニ８１と棟方向に隣接している。
バルコニ８１は、妻面８０Ｄに開口された凹部８０Ｅにより構成されている。この凹部８０Ｅには、開口に面した窓部８２が設けられ、この窓部８２を介して居室とバルコニ８１とを行き来できるようになっている。
妻面８０Ｄに形成された凹部８０Ｅの開口は、前述した傾斜開口部８０Ｆを含んで構成され、この傾斜開口部８０Ｆの下方にバルコニ８１の床が設けられている。
また、妻面８０Ｄにおいて傾斜開口部８０Ｆの軒先側となる垂直面は、バルコニ８１の手摺８３とされている。
【００１５】
このような屋根８０は、建物本体８Ａ上に組んだ骨組み８４に屋根下地材８５や屋根仕上材８７（図３参照）を取り付けることにより構成されている。
この骨組み８４は、棟８０Ａに沿って配置される棟材８４１と、軒先８０Ｂに沿って配置される軒げた８４２と、これらの棟材８４１および軒げた８４２と平行に前記傾斜屋根面８０Ｃに沿って配列される複数の母屋８４３と、これらの母屋８４３と直交して設けられた複数の垂木８４４，８４４Ａとを有して構成されている。
【００１６】
棟材８４１は、バルコニ８１よりも棟方向に没して設けられている。
この棟材８４１の一端（没した側の端部）には、一対の傾斜材８４５の各上端が接続され、これらの傾斜材８４５は、バルコニ８１の妻方向両端部に向かってそれぞれ斜めに下ろされている。
傾斜材８４５は、前述した傾斜開口部８０Ｆの開口端に沿って斜めに設けられ、これらの一対の傾斜材８４５に挟まれた部分が前述した傾斜開口部８０Ｆとされている。
これらの傾斜材８４５の傾斜角度は、建物８が隣地境界線や道路境界線等との関係により斜線制限を受ける場合、図２に示すように、傾斜開口部８０Ｆが斜線制限の斜線に沿うように設定される。
【００１７】
また、傾斜開口部８０Ｆの周囲には、図３に一部示すように、水切り８６が設けられている。
水切り８６は、傾斜材８４５に沿って連続して設けられ、スペーサ８６１を介して屋根下地材８５上に取り付けられている。これにより、水切り８６は、屋根下地材８５から屋根仕上材８７よりも大きく立ち上がって（突出して）いる。
【００１８】
図１に戻って、垂木８４４，８４４Ａは、傾斜材８４５と交差する方向、具体的には、傾斜屋根面８０Ｃに沿って軒先８０Ｂに向かって下るように設けられた軸材であり、その上面には屋根下地材８５が取り付けられている。
このうち、妻面８０Ｄ側の一対の垂木８４４Ａは、本発明における斜め材８４４Ａとされ、各斜め材８４４Ａの上端には前述した一対の傾斜材８４５の各下端がそれぞれ結合されている。
これらの斜め材８４４Ａの上端間には、架設材８４６が架け渡され、この架設材８４６に前述した手摺８３が取り付けられている。
【００１９】
複数の屋根下地材８５のうちバルコニ８１の上部の屋根下地材８５には、天窓８５１およびルーバ８５２が組み付けられ、バルコニ８１に採光および通風を確保するようになっている。
【００２０】
このような本実施形態によれば、以下のような効果がある。
すなわち、妻面８０Ｄの傾斜開口部８０Ｆの下方にバルコニ８１の床を設けるので、バルコニ８１は屋根８０の内部に形成されることになるから、ルーフバルコニ等の構造体を採用しなくてもバルコニ８１を形成できる。従って、屋根８０を一種類の構造体により構成できるので、構造を簡略化できるとともに施工を容易化できる。
【００２１】
また、屋根８０の構造軸材となる棟材８４１、傾斜材８４５および斜め材８４４Ａが分断されないで連続する構造となるため、補強しなくても充分な強度を確保できるから、構造を簡略にできるとともに容易に施工できる。
さらに、凹部８０Ｅの開口は、傾斜材８４５および斜め材８４４Ａに囲まれた部分に形成されているため、開口を大きくしても必要な強度を確保できる。従って、バルコニ８１の開口を大きく形成できるから、開口に面した窓部８２から採光や通風を充分に確保できる。
【００２２】
そして、屋根８０の形状は、傾斜材８４５に沿って切り妻屋根の棟の端部が斜めに切り欠かれた形状であるため、隣地境界線や道路境界線等との関係により斜線制限を受ける場合にも、この傾斜材８４５に沿った部分を斜線制限の斜線に沿わせることができるから、建物８全体を斜線制限内に納めることができる。
【００２３】
さらに、一対の傾斜材８４５に挟まれた部分に形成された傾斜開口部８０Ｆを含んで凹部８０Ｅの開口が構成されているので、傾斜開口部８０Ｆを介して、バルコニ８１の上面を屋外に開放できるから、採光および通風が効率よく得られる。
【００２４】
そして、傾斜開口部８０Ｆは、妻面８０Ｄの棟８０Ａ寄りの部分に設けられ、妻面８０Ｄの傾斜開口部８０Ｆよりも軒先８０Ｂ側の部分は、バルコニ８１の手摺８３とされているので、既存の屋根の構造を利用して手摺８３を構成できるので、簡単な構造でバルコニ８１を形成できる。
【００２５】
さらに、小屋裏空間には居室が設けられ、この居室とバルコニ８１との間には、窓部８２が設けられているため、この窓部８２を通じて採光および通風を居室に充分に確保できるとともにバルコニ８１への出入りを容易に行える。
【００２６】
また、傾斜開口部８０Ｆの周囲に水切り８６が設けられているので、雨水が水切り８６に沿って軒先８０Ｂ方向に流れるようになり、傾斜開口部８０Ｆからバルコニ８１内に雨水が流れ込むことがなくなるから、従来のルーフバルコニのように軒樋を設ける必要がなくなり、構造を簡略化できる。
【００２７】
以下、本発明の実施の各形態を図面に基づいて説明する。
〔第一実施形態〕
図４には、本実施形態のバルコニ付き屋根１０を備えたユニット式建物１が示されている。
ユニット式建物１は、基礎９１上に箱状の建物ユニット９２を複数組み合わせて配置することにより構築された二階建ての建物躯体９０と、この建物躯体９０の上に設けられた屋根１０とを有して構成されている。
【００２８】
建物ユニット９２は、予め工場で製造されたものであり、図５に示すように、直方体形状の骨組み９２Ａを有し、この骨組み９２Ａに、図示しない床材、内外壁材、天井材、その他必要な設備部材を組み付けて構成されている。
すなわち、骨組み９２Ａは、四本の柱９２１と、これらの四本の柱９２１の上端間を連結する上梁９２２と、四本の柱９２１の下端間を連結する下梁９２３とを含んで構成されている。この骨組み９２Ａには、その上梁９２２間に複数の小梁９２４が架設されるとともに、下梁９２３間に複数の根太９２５が架設され、これらに天井材および床材等が取り付けられている。
【００２９】
図４に戻って、屋根１０は、棟１０Ａから軒先１０Ｂに向かって傾斜した傾斜屋根面１０Ｃと、棟１０Ａの端部に設けられて当該棟１０Ａと交差する屋根側面としての妻面１０Ｄとを有して、両流れの切り妻屋根状に形成され、棟１０Ａの一方の端部が斜めに切り欠かれた形状とされている。
この屋根１０の小屋裏空間は、図示しないが、建物躯体９０の二階部分から昇降可能な三階居室部分として利用されている。
また、屋根１０の斜めに切り欠かれた形状とされた側の端部には、三階居室部分に出入り可能なバルコニ２が設けられている。このバルコニ２は、妻面１０Ｄに開口された凹部１０Ｅにより構成されている。
【００３０】
具体的には、屋根１０は、図６にも示すように、棟１０Ａに沿って直列に配置された直方体形状の低建物ユニット１１と、各低建物ユニット１１の妻方向両側に配置された傾斜面を有する三角屋根ユニット１２と、この三角屋根ユニット１２の傾斜面に沿って棟１０Ａの両側に傾斜配置された屋根パネル１３，４３とを有して構成されている。
このような屋根１０では、低建物ユニット１１および三角屋根ユニット１２の各内部空間が小屋裏空間、つまり、三階居室部分とされている。
【００３１】
低建物ユニット１１は、図７に示すように、前述した建物ユニット９２（図５参照）の高さ寸法を低くしたものであり、建物ユニット９２と同様に、直方体形状の骨組み１１Ａに図示しない各種設備部材を組み付けて構成されている。
すなわち、この骨組み１１Ａは、四本の柱１１１と、これらの四本の柱１１１の上端間を連結する上梁１１２と、四本の柱１１１の下端間を連結する下梁１１３とを含んで構成され、柱１１１の高さ寸法は、建物ユニット９２の柱９２１よりも小さくされている。
【００３２】
このような低建物ユニット１１のうち、棟１０Ａの一端に配置される低建物ユニット１１は、その妻面１０Ｄ側の側面が開口されて凹部１０Ｅとされ、これにより、バルコニ２が形成されている。
つまり、本実施形態のバルコニ２は、低建物ユニット１１内の妻面１０Ｄ側の部分に設けられ、当該低建物ユニット１１の屋内側（妻面１０Ｄ側と反対側）の部分に設けられた三階居室部分と隣接している。
【００３３】
この低建物ユニット１１の骨組み１１Ａのうちバルコニ２に対応する部分には、図４および図６にも示すように、床面材１１４、窓サッシ１１５、手摺１１６および外壁材１１７が組み付けられるとともに、骨組み１１Ａの上面のうちバルコニ２に対応した部分に取り付ける天井面材等の設備部材が省略されている。これにより、低建物ユニット１１の上面のバルコニ２に対応した部分は開口され、上梁１１２が露出している。
【００３４】
床面材１１４は、ＡＬＣ（軽量気泡コンクリート）等からなるものであり、その上面には、防水シート（図示省略）等による防水処理が施されている。
この床面材１１４の上面には、図示しないが、屋外（妻面１０Ｄ）側に向かって下る水勾配が形成され、この水勾配の下流側となる端部には、側溝が設けられてバルコニ２の排水を行えるようになっている。
【００３５】
窓部である窓サッシ１１５は、低建物ユニット１１内のバルコニ２と三階居室部分とを仕切る立上壁部を構成するものであり、凹部１０Ｅの開口に面して骨組み１１Ａ内に垂直に組み付けられている。これにより、窓サッシ１１５を介してバルコニ２および三階居室部分を相互に行き来できるようになっている。
このような窓サッシ１１５は、骨組み１１Ａに取付下地となる間柱や中間梁を設けることにより組み付けることができる。
なお、バルコニ２および三階居室部分の境界部分を仕切る立上壁部は、窓サッシと内外壁材とを組み合わせて構成してもよい。
【００３６】
手摺１１６は、バルコニ２の妻面１０Ｄ側の端部となる部分、つまり、骨組み１１Ａの短辺側側面に沿って立設されている。
外壁材１１７は、防火サイディング材等からなるものであり、低建物ユニット１１のバルコニ２と、当該低建物ユニット１１に隣接する三角屋根ユニット１２内の三階居室部分との境界部分に立設されている。具体的には、骨組み１１Ａの長辺側側面のバルコニ２に対応した部分に取り付けられている。
【００３７】
一方、三角屋根ユニット１２は、図８に示すように、三角柱の長方形側面を底面とした軸組構造の骨組み１２Ａを備えている。
この骨組み１２Ａは、四本の下梁１２１を矩形に枠組みした水平フレーム１２２と、この水平フレーム１２２の長辺となる一方の下梁１２１の両端に立設された一対の柱１２３と、これらの柱１２３の上端間を連結する上梁１２４と、柱１２３の上端および水平フレーム１２２の長辺となる他方の下梁１２１の端部を連結する斜め梁１２５とを有して構成されている。
斜め梁１２５および柱１２３の接合は、柱１２３に固着されたブラケット（図示省略）に斜め梁１２５の傾斜方向上端に固着された箱状の取付部材１２６を被せ、ボルト締め等で互いに結合することにより行われている。
また、斜め梁１２５の下端および他方の下梁１２１は、ボルト締め等により連結され、この連結は、他方の下梁１２１上に固着されかつ上面が傾斜した略箱状の立上部１２７および角筒状の固定部材１２８を介して行われている。
【００３８】
一方、図９に示すように、二種類の屋根パネル１３，４３のうち長方形の屋根パネル１３は、四本の枠材１３１，１３２，１３３，１３４を矩形に枠組みした下地フレーム１３０上に合板等の面材（図示省略）を取り付けた構造を備えている。
この下地フレーム１３０の傾斜方向上端側（棟１０Ａ側）の枠材１３１は、棟１０Ａを挟んで対向する屋根パネル１３同士で、接合ブラケット（図示省略）を介して互いに棟１０Ａの位置で結合されるとともに、棟方向に並ぶ枠材１３１同士で結合されている。
このように、下地フレーム１３０の各枠材１３１は一体化されて、棟１０Ａを構成する棟材２１とされている。このような屋根パネル１３の枠材１３１からなる棟材２１は、バルコニ２よりも棟方向に没して設けられることになる。
なお、下地フレーム１３０の傾斜方向下端側（軒先１０Ｂ側）の枠材１３２は、三角屋根ユニット１２（図８参照）の傾斜面に固定されている。
【００３９】
また、バルコニ２を覆うように配置される屋根パネル４３は、棟１０Ａ側となる上辺が傾斜した形状を備え、具体的には、四本の枠材４３１，４３２，４３３，４３４を台形に枠組みした下地フレーム４３０上に合板等の面材（図示省略）を取り付けて構成されている。
この下地フレーム４３０の傾斜方向上端側（棟１０Ａ側）の枠材４３１の一端は、棟１０Ａを挟んで対向する屋根パネル４３同士で接合ブラケット（図示省略）によって結合されるとともに、隣接する屋根パネル１３の枠材１３１、つまり、棟材２１と連結されている。
【００４０】
この枠材４３１の他端は、それぞれ低建物ユニット１１の上面、具体的には、妻面１０Ｄ側の柱１１１の上端部（図７参照）に固定され、互いに離間している。
すなわち、屋根パネル４３の枠材４３１は、バルコニ２の妻方向両端部に向かってそれぞれ斜めに下ろされ、棟材２１から延びる傾斜材４３１とされている。これらの傾斜材（枠材）４３１に挟まれた部分は開口されて傾斜開口部１０Ｆとされ、図４に示したように、この傾斜開口部１０Ｆを含んで凹部１０Ｅの開口が構成されている。
バルコニ２の上面、つまり、低建物ユニット１１の上面においてバルコニ２用に開口された部分は、この傾斜開口部１０Ｆを介して屋外に開放されている。
【００４１】
図９に戻って、下地フレーム４３０の妻面１０Ｄ側の枠材４３４は、傾斜材（枠材）４３１から軒先１０Ｂに延びる斜め材４３４であり、屋根パネル１３，４３により構成される傾斜屋根面１０Ｃに沿って配置されている。
具体的には、斜め材（枠材）４３４は、三角屋根ユニット１２の斜め梁１２５（図８参照）に沿って設けられている。
なお、下地フレーム４３０の傾斜方向下端側（軒先１０Ｂ側）の枠材４３２は、屋根パネル１３と同様に、三角屋根ユニット１２（図８参照）の傾斜面に固定されている。
また、前記参考実施形態と同様に、屋根パネル４３には、傾斜材となる枠材４３１に沿って水切りを設けてもよい。
【００４２】
このような本実施形態によれば、以下のような効果がある。
すなわち、妻面１０Ｄの傾斜開口部１０Ｆの下方にバルコニ２の床を設けるので、バルコニ２は屋根１０の内部に形成されることになるから、ルーフバルコニ等の構造体を採用しなくてもバルコニ２を形成できる。従って、屋根１０を一種類の構造体により構成できるので、構造を簡略化できるとともに施工を容易化できる。
つまり、バルコニ２は、低建物ユニット１１を開口させるだけで形成できるので、バルコニ２を設けるために、ユニット１１，１２の骨組み１１Ａ，１２Ａの構造を変更したり、構造の異なる他のユニットを採用したりする必要がなくなる。従って、バルコニ２の有無に拘わらず、屋根１０全体を、低建物ユニット１１および三角屋根ユニット１２を並べた上に屋根パネル１３，４３を配置した構造、つまり、一種類の構造により構成できるから、屋根１０の構造を複雑化することなくバルコニ２を設けることができ、容易に施工できる。
【００４３】
また、屋根１０の構造軸材となる棟材２１、傾斜材となる枠材４３１、および斜め材となる枠材４３４を分断しないで連続させた構造としたため、補強しなくても充分な強度を確保できるから、簡単に施工できる。
さらに、凹部１０Ｅの開口は、傾斜材（枠材）４３１および斜め材（枠材）４３４に囲まれた部分に形成されているため、大きく形成できるから、採光や通風を充分に確保できる。
そして、本実施形態の屋根１０は、傾斜材（枠材）４３１に沿って棟１０Ａの端部が斜めに切り欠かれた形状とされているので、隣地境界線や道路境界線等との関係により斜線制限を受ける場合にも、この傾斜材（枠材）４３１に沿った部分を斜線制限の斜線に沿わせることができるから、建物１全体を斜線制限内に納めることができる。
【００４４】
また、一対の傾斜材（枠材）４３１に挟まれた部分を開口して傾斜開口部１０Ｆとし、この傾斜開口部１０Ｆを含んで凹部１０Ｅの開口を構成したので、傾斜開口部１０Ｆを介して、バルコニ２の上面を屋外に開放させることができるので、採光および通風が効率よく得られる
【００４５】
また、小屋裏空間は三階居室部分として利用されているので、採光および通風が充分に得られる小屋裏空間を有効利用できる上、バルコニ２への出入りを容易に行える。
【００４６】
〔第二実施形態〕
図１０には、本実施形態のバルコニ付き屋根５０が示されている。
なお、以下の説明にあたって、前述した図４〜図９と同じ構成要素については同一符号を付し、その説明を省略もしくは簡略化する。
本実施形態のバルコニ付き屋根５０は、棟１０Ａと交差する屋根側面が傾斜面５０Ｄとされた寄せ棟屋根であり、図示しないが、その小屋裏空間は、前記第一実施形態と同様に、三階居室部分として利用されている。
この屋根５０には、三階居室部分に出入り可能なバルコニ４が設けられている。このバルコニ４は、傾斜面５０Ｄに開口された凹部５０Ｅにより構成されている。
また、この傾斜面５０Ｄの傾斜方向上部には、三角形の傾斜開口部５０Ｆが設けられ、この傾斜開口部５０Ｆを含んで凹部５０Ｅの開口が構成されている。
【００４７】
具体的には、屋根５０は、図１１にも示すように、棟１０Ａに沿って直列に配置された傾斜低建物ユニット５１と、各傾斜低建物ユニット５１の妻方向両側に配置された傾斜三角屋根ユニット５２と、これらの両ユニット５１，５２の各傾斜面に沿って傾斜配置された屋根パネル１３，５３，５４とを有して構成され、傾斜低建物ユニット５１および傾斜三角屋根ユニット５２の各内部空間が小屋裏空間、つまり、三階居室部分とされている。
【００４８】
傾斜低建物ユニット５１は、図１２に示すように、前記第一実施形態の低建物ユニット１１（図７参照）の短辺側（屋根側面側）の側面を傾斜面としたものであり、低建物ユニット１１と同様に、骨組み５１Ａに図示しない各種設備部材を組み付けて構成されている。
この骨組み５１Ａは、上下に対向配置されかつ平面視で長辺方向寸法のみが異なる上面用矩形枠５１１および下面用矩形枠５１２と、両矩形枠５１１，５１２の長辺方向一端側の二つの角部を相互に連結する垂直な柱５１３と、両矩形枠５１１，５１２の長辺方向他端側の二つの角部を相互に連結する傾斜梁５１４とを含んで構成されている。
【００４９】
このうち、棟１０Ａの一端に配置される傾斜低建物ユニット５１は、その傾斜面５０Ｄ側の側面が開口されて凹部５０Ｅとされ、この凹部５０Ｅによりバルコニ４が構成されている。
この傾斜低建物ユニット５１においては、前記第一実施形態の低建物ユニット１１と同様に、骨組み５１Ａの上面のバルコニ４に対応した部分に取り付ける天井面材等の設備部材が省略されている。これにより、傾斜低建物ユニット５１の上面のうち、バルコニ４に対応した部分は開口され、上面用矩形枠５１１の一部が露出している。
また、凹部５０Ｅを開口させるために、傾斜梁５１４に沿った骨組み５１Ａの傾斜面に取り付ける屋根パネルは省略され、バルコニ４の前面および上面が屋外に開放されている。
【００５０】
一方、傾斜三角屋根ユニット５２は、図１３に示すように、前記第一実施形態の三角建物ユニット１２（図８参照）の平面視における短辺側（屋根側面側）の側面を傾斜面としたものである。
この傾斜三角屋根ユニット５２の骨組み５２Ａは、各一対の長辺下梁５２１および短辺下梁５２２を枠組みした水平フレーム５２３と、長辺下梁５２１よりも短く形成されて一方の長辺下梁５２１と平面視で重なる位置に平行に設けられた上梁５２４と、この上梁５２４の両端部および水平フレーム５２３の前記一方の長辺下梁５２１側の二つの角部をそれぞれ連結する垂直な柱５２５および第一傾斜梁５２６と、上梁５２４の両端部および水平フレーム５２３の他方の長辺下梁５２１側の二つの角部をそれぞれ連結する第二、第三傾斜梁５２７，５２８とを有して構成されている。
この骨組み５２Ａにおいては、第一、第二傾斜梁５２６，５２７の傾斜は、傾斜低建物ユニット５１の傾斜梁５１４（図１２参照）の傾斜と同一とされ、これにより、屋根５０の傾斜面５０Ｄは平坦に形成されている。
【００５１】
このような傾斜三角屋根ユニット５２のうち、第二、第三傾斜梁５２７，５２８により構成される傾斜面には矩形平板状の屋根パネル１３および略三角平板状の屋根パネル５３（図１１参照）が取り付けられ、第一、第二傾斜梁５２６，５２７からなる傾斜面には、三角平板状の屋根パネル５４が取り付けられている。
【００５２】
このような本実施形態の屋根５０では、図１４に示すように、屋根パネル５３の下地フレーム５３０により、棟材２１の端部からバルコニ４の妻方向両端部に向かって斜めに下ろされた一対の傾斜材５３１が構成され、屋根パネル５４の下地フレーム５４０により、傾斜材５３１の下端から軒先１０Ｂに向かって下る斜め材５４１が構成されている。
すなわち、屋根パネル５３、５４は、それぞれ三本の枠材５３１，５３２，５３３，５４１，５４２，５４３を直角三角形に枠組みした下地フレーム５３０，５４０を備え、傾斜材５３１は、屋根パネル５３の下地フレーム５３０のうち、下り棟に沿って配置される枠材により構成され、斜め材５４１は、傾斜材５３１から傾斜面（屋根側面）５０Ｄの傾斜に沿って下る枠材５４１により構成されている。
【００５３】
一対の傾斜材（枠材）５３１および傾斜低建物ユニット５１の上面用矩形枠５１１に囲まれた部分は、図１０にも示したように、開口されて傾斜開口部５０Ｆとされ、この傾斜開口部５０Ｆを含んで凹部５０Ｅの開口が構成されている。
これにより、傾斜低建物ユニット５１（図１２参照）の上面においてバルコニ４用に開口された部分は、この傾斜開口部５０Ｆを介して屋外に開放されている。
【００５４】
このような本実施形態によれば、前記第一実施形態と同様な作用、効果を奏することができる他、屋根側面が傾斜面５０Ｄとされているので、棟材２１が傾斜面５０Ｄに設けられたバルコニ４よりも元々棟方向に没した構造であるため、寄せ棟屋根の外形形状を変えることなくバルコニ４を形成できるから、容易に設計できる上、良好な外観を確保できる。
【００５５】
なお、本発明は前記各実施形態に限定されるものではなく、本発明の目的を達成できる他の構成等を含み、以下に示すような変形なども本発明に含まれる。
すなわち、前記第一、第二実施形態では、バルコニ２，４を平面視で傾斜開口部１０Ｆ，５０Ｆよりも大きい矩形形状に形成したが、平面視で開口部１０Ｆ，５０Ｆと同形状となるように形成してもよい。
【００５６】
前記第一、第二実施形態において、バルコニの上部に設置される屋根パネルに天窓、ルーバ、パーゴラ等を設けてもよい。
【００５７】
前記各実施形態では、変形切り妻屋根および寄せ棟屋根について説明したが、屋根の種類はこれらに限定されず、例えば、図１５に示すように、屋根の傾斜屋根面１０Ｃが屈曲したマンサード屋根であってもよい。
具体的には、屋根側面が傾斜面となった寄せ棟タイプのマンサード屋根の場合、その傾斜面（屋根側面）５０Ｄに凹部５０Ｅを設けてバルコニ４を形成し、バルコニ付き屋根６０を構成してもよい。
要するに、棟から軒先に向かって傾斜した傾斜屋根面と棟の端部で棟と交差する屋根側面とを備えた屋根であれば、屋根の種類は任意である。
【００５８】
また、図１６〜図２０に示すように、小屋裏空間において居室よりも妻側の部分を全てバルコニ３１，３２，３３，３４，３５空間としてもよい。
さらに、手摺は、垂直なものに限定されず、図１６および図１８に示すように、手摺３１１，３３１を屋根側面に沿って傾斜して設けてもよい。
そして、棟の端部と軒先とを結ぶ稜線は、特に限定されず、屈曲している場合には、図１９および図２０に示すように、前記各実施形態と同様、屋外側に張り出すように屈曲していてもよく、図１８に示すように、屋内側にへこむように屈曲していてもよい。
この場合、手摺の上端位置は、屈曲部分よりも上であっても下であってもよく、屈曲部分のバルコニ床からの高さ位置に応じて適宜設定すればよい。
【００５９】
以上に述べた各実施形態では、在来工法により建てられた建物の屋根およびユニット工法により建てられたユニット式建物の屋根について説明したが、本発明は、パネル工法等の他の工法により構築された建物の屋根に対しても適用できる。
【００６０】
【発明の効果】
以上に述べたように、本発明によれば、屋根の棟の一端側に配置された建物ユニットの開口および床面材と、棟の一端側に配置された２つの屋根パネルの各上端側辺とによって形成される凹部にバルコニが形成されるので、バルコニは屋根の内部に形成されることになるから、ルーフバルコニ等の構造体を採用しなくてもバルコニを形成できる。従って、屋根を一種類の構造体により構成できるので、屋根にバルコニを簡単な構造で設けることができるとともに、屋根の施工を容易化できる。
【図面の簡単な説明】
【図１】  本発明の参考実施形態を示す斜視図。
【図２】  前記参考実施形態の建物を示す図。
【図３】  前記参考実施形態の水切りの取付けを示す断面図。
【図４】  本発明の第一実施形態を示す斜視図。
【図５】  前記第一実施形態の建物ユニットの骨組みを示す斜視図。
【図６】  前記第一実施形態のバルコニ付き屋根を一部破断して示す分解斜視図。
【図７】  前記第一実施形態の低建物ユニットの骨組みを示す斜視図。
【図８】  前記第一実施形態の三角屋根ユニットの骨組みを示す斜視図。
【図９】  前記第一実施形態の屋根パネルを示す平面図。
【図１０】  本発明の第二実施形態を示す斜視図。
【図１１】  前記第二実施形態のバルコニ付き屋根を一部破断してを示す分解斜視図。
【図１２】  前記第二実施形態の傾斜低建物ユニットの骨組みを示す斜視図。
【図１３】  前記第二実施形態の傾斜三角屋根ユニットの骨組みを示す斜視図。
【図１４】  前記第二実施形態の屋根パネルを示す平面図。
【図１５】  本発明の他のバルコニ付き屋根を示す図。
【図１６】  本発明のさらに他のバルコニ付き屋根を示す図。
【図１７】  本発明のさらにまた他のバルコニ付き屋根を示す図。
【図１８】  本発明の別のバルコニ付き屋根を示す図。
【図１９】  本発明のさらに別のバルコニ付き屋根を示す図。
【図２０】  本発明のさらにまた別のバルコニ付き屋根を示す図。
【符号の説明】
２，４，３１１，３２１，３３１，３４１，３５１，８１  バルコニ
１０，５０，６０，８０  バルコニ付き屋根
１０Ａ，８０Ａ  棟
１０Ｂ，８０Ｂ  軒先
１０Ｃ，８０Ｃ  傾斜屋根面
１０Ｄ，８０Ｄ  妻面（屋根側面）
１０Ｅ，５０Ｅ，８０Ｅ  凹部
１０Ｆ，５０Ｆ，８０Ｆ  傾斜開口部
２１，８４１  棟材
５０Ｄ  傾斜面（屋根側面）
８２，１１５  窓部
８３，１１６，３１１，３２１，３３１，３４１，３５１  手摺
４３１，５３１，８４５  傾斜材
４３４，５４１，８４４Ａ  斜め材
【図１】
0003762538.tif 000002
【図２】
0003762538.tif 000003
【図３】
0003762538.tif 000004
【図４】
0003762538.tif 000005
【図５】
0003762538.tif 000006
【図６】
0003762538.tif 000007
【図７】
0003762538.tif 000008
【図８】
0003762538.tif 000009
【図９】
0003762538.tif 000010
【図１０】
0003762538.tif 000011
【図１１】
0003762538.tif 000012
【図１２】
0003762538.tif 000013
【図１３】
0003762538.tif 000014
【図１４】
0003762538.tif 000015
【図１５】
0003762538.tif 000016
【図１６】
0003762538.tif 000017
【図１７】
0003762538.tif 000018
【図１８】
0003762538.tif 000019
【図１９】
0003762538.tif 000020
【図２０】
0003762538.tif 000021